(57)【要約】【課題】蒸気タービンの排気損失を抑制する。【解決手段】蒸気タービンロータのスチームガイドは、上半スチームガイドおよび下半スチームガイドを有する。上半スチームガイド４０は、内部ケーシング２１の外側に配置されて、蒸気タービンロータを半径方向外側から覆う半円環状で、作動蒸気を排気するための蒸気排気流路を形成し、内周面が回転中心軸との距離が軸方向下流側に向かうに従って除々に大きくなる。下半スチームガイド５０は、上半スチームガイド４０に対向するように配置され上半スチームガイド４０と共に１つの円環を形成する半円環状で、内周面が回転中心軸との距離が軸方向下流側に向かうに従って除々に大きくなるように形成される。【選択図】図１
2011226428.tif 000002
【特許請求の範囲】
【請求項１】
外周表面に複数の動翼が固定されたタービンロータと、
前記外周表面の半径方向外側に配置されて、作動流体である作動蒸気を軸方向に流通させる蒸気流路を形成するノズルと、
前記ノズルを固定するとともに前記タービンロータを回転可能に収容する内部ケーシングと、
前記内部ケーシングを収容する外部ケーシングと、
前記内部ケーシングの、前記蒸気流路の下流側に配置されるとともに、内周面が前記回転中心軸との距離が軸方向下流側に向かうに従って除々に大きくなるように形成され、前記タービンロータを半径方向外側から部分的に覆う半円環状の第１スチームガイドと、
前記第１スチームガイドに対向するように配置可能で、前記第１スチームガイドと共に１つの円環を形成する半円環状で、内周面が前記回転中心軸との距離が軸方向下流側に向かうに従って除々に大きくなるように形成された第２スチームガイドと、
を有し、
前記第１スチームガイドおよび第２スチームガイドそれぞれの周方向端部には、互いに係合可能な第１係合面および第２係合面が形成されて、
前記第１スチームガイドおよび第２スチームガイドが互いに組み合わされるときに、前記第１係合面および第２係合面が、半径方向外側に向かって上方または下方のいずれかの方向で且つ互いに同じ方向に傾くように形成されて、互いに接する状態で固定可能に構成されていること、
を特徴とする蒸気タービン。
【請求項２】
前記第１傾斜面および第２傾斜面が形成される部位は、耐熱性を備え、前記第１傾斜面および第２傾斜面が互いに係合して接するときに弾性変形可能に構成されていること、を特徴とする請求項１に記載の蒸気タービン。
【請求項３】
外周表面に複数の動翼が固定されたタービンロータと、
前記外周表面の半径方向外側に配置されて、作動流体である作動蒸気を軸方向に流通させる蒸気流路を形成するノズルと、
前記ノズル部を固定するとともに前記ロータを回転可能に収容する内部ケーシングと、
前記内部ケーシングを収容する外部ケーシングと、
前記内部ケーシングの、前記蒸気通路の下流側に配置されるとともに、内周面が前記回転中心軸との距離が軸方向下流側に向かうに従って除々に大きくなるように形成され、前記タービンロータを半径方向外側から覆う半円環状の第１スチームガイドと、
前記第１スチームガイドに対向するように配置可能で、前記第１スチームガイドと共に１つの円環を形成する半円環状で、内周面が前記回転中心軸との距離が軸方向下流側に向かうに従って除々に大きくなるように形成された第２スチームガイドと、
を有し、
前記第１スチームガイドの周方向端部に、前記第２スチームガイドが係合しているときに前記第２スチームガイドに向かって延びて前記内周面に沿うように形成された第１係合用板が取り付けられて、
前記第２スチームガイドの周方向端部に、前記第２スチームガイドが係合しているときに前記第２スチームガイドに向かって延びて前記内周面に沿うように形成されて、前記第１係合用板に互いに係合可能な第２係合用板が取り付けられて、
前記第１係合用板および第２係合用板が互いに係合しているときに、対向する面同士が互いに接するように構成さていること、
を特徴とする蒸気タービン。
【請求項４】
前記第１係合用板および第２係合用板は、互いに半径方向に同じ向きに変形しながら接するように構成されていること、を特徴とする請求項３に記載の蒸気タービン。
【請求項５】
外周表面に複数の動翼が固定されたタービンロータと、
前記外周表面の半径方向外側に配置されて、作動流体である作動蒸気を軸方向に流通させる蒸気流路を形成するノズルと、
前記ノズルを固定するとともに前記タービンロータを回転可能に収容する内部ケーシングと、
前記内部ケーシングを収容する外部ケーシングと、
前記内部ケーシングの、前記蒸気通路の下流側に配置されるとともに、内周面が前記回転中心軸との距離が軸方向下流側に向かうに従って除々に大きくなるように形成され、前記タービンロータを半径方向外側から覆う半円環状の第１スチームガイドと、
前記第１スチームガイドに対向するように配置可能で、前記第１スチームガイドと共に１つの円環を形成する半円環状で、内周面が前記回転中心軸との距離が軸方向下流側に向かうに従って除々に大きくなるように形成された第２スチームガイドと、
を有し、
前記第１スチームガイドの周方向端部に、前記第２スチームガイドが係合しているときに前記第２スチームガイドに向かって延びて前記内周面に沿うように形成された少なくとも１枚の板状の凸状フィンが取り付けられて、
前記第２スチームガイドの周方向端部に、前記第２スチームガイドが係合しているときに第２スチームガイドに向かって延びて前記内周面に沿うように形成されて、前記凸状フィンを半径方向両側から挟むように形成された少なくとも２枚の板状の凹状フィンが取り付けられていること、
を特徴とする蒸気タービン。
【発明の詳細な説明】
【技術分野】
【０００１】
本発明は、スチームガイド等を備えた蒸気タービンに関する。
【背景技術】
【０００２】
例えば火力発電所等で用いられる蒸気タービンは、エネルギ資源の有効利用やＣＯ２排出量の削減等のため、効率を向上させることが求められている。蒸気タービンの効率を向上させるためには、エネルギを有効に機械仕事に変換する必要がある。この場合、様々な内部損失の低減が必要となる。
【０００３】
蒸気タービン内の内部損失の１つに排気損失がある。この排気損失は、蒸気タービン全損失の大きな割合を占めるものである。この排気損失は、ノズルの最終段出口から復水器入口までの間で発生する損失で、リービング損失、フード損失、環状面積制限損失、ターンナップ損失等を含む。
【０００４】
フード損失は、排気室から復水器までの圧力損失であり、排気室の形状やサイズに大きく依存する。圧力損失は、流速の二乗で大きくなるため、許容される範囲で排気サイズを大きくして流速を低減することが効果的である。しかし、サイズを大きくすることは、製作コストや蒸気タービンを設置する建屋の大きさ等の制約がある。排気室は蒸気タービン全体でも大きな容量を占めるため、損失を低減させるためにサイズを大きくすることは、蒸気タービン全体のサイズアップやコストアップに繋がる。
【先行技術文献】
【特許文献】
【０００５】
【特許文献１】特開平４−３３４７０２号公報
【発明の概要】
【発明が解決しようとする課題】
【０００６】
排気室の配置されるスチームガイドには、ロータの回転中心軸を境に下側および上側に分割可能に構成されているものが多い。このような上半スチームガイドおよび下半スチームガイドは、組み立てられた後に分割部に隙間が形成されてしまうことがある。この隙間が発生しないように上半および下半スチームガイドを製作することは、コスト増大等のため困難になることが多い。この隙間が大きいと、上述した排気損失が大きくなることがある。
【０００７】
本発明は上述の課題を解決するためになされたものであり、その目的は、蒸気タービンの排気損失を抑制可能にすることである。
【課題を解決するための手段】
【０００８】
上記目的を達成するための本発明に係る蒸気タービンは、外周表面に複数の動翼が固定されたタービンロータと、前記外周表面の半径方向外側に配置されて、作動流体である作動蒸気を軸方向に流通させる蒸気流路を形成するノズルと、前記ノズルを固定するとともに前記タービンロータを回転可能に収容する内部ケーシングと、前記内部ケーシングを収容する外部ケーシングと、前記内部ケーシングの、前記蒸気通路の下流側に配置されるとともに、内周面が前記回転中心軸との距離が軸方向下流側に向かうに従って除々に大きくなるように形成され、前記タービンロータを半径方向外側から部分的に覆う半円環状の第１スチームガイドと、前記第１スチームガイドに対向するように配置可能で、前記第１スチームガイドと共に１つの円環を形成する半円環状で、内周面が前記回転中心軸との距離が軸方向下流側に向かうに従って除々に大きくなるように形成された第２スチームガイドと、を有し、前記第１スチームガイドおよび第２スチームガイドそれぞれの周方向端部には、互いに係合可能な第１係合面および第２係合面が形成されて、前記第１スチームガイドおよび第２スチームガイドが互いに組み合わされるときに、前記第１係合面および第２係合面が、半径方向外側に向かって上方または下方のいずれかの方向で且つ互いに同じ方向に傾くように形成されて、互いに接する状態で固定可能に構成されていること、を特徴とする。
【０００９】
また、本発明に係る蒸気タービンは、外周表面に複数の動翼が固定されたタービンロータと、前記外周表面の半径方向外側に配置されて、作動流体である作動蒸気を軸方向に流通させる蒸気流路を形成するノズルと、前記ノズル部を固定するとともに前記ロータを回転可能に収容する内部ケーシングと、前記内部ケーシングを収容する外部ケーシングと、内部ケーシングの、前記蒸気通路の下流側に配置されるとともに、内周面が前記回転中心軸との距離が軸方向下流側に向かうに従って除々に大きくなるように形成され、前記タービンロータを半径方向外側から覆う半円環状の第１スチームガイドと、前記第１スチームガイドに対向するように配置可能で、前記第１スチームガイドと共に１つの円環を形成する半円環状で、内周面が前記回転中心軸との距離が軸方向下流側に向かうに従って除々に大きくなるように形成された第２スチームガイドと、を有し、前記第１スチームガイドの周方向端部に、前記第２スチームガイドが係合しているときに前記第２スチームガイドに向かって延びて前記内周面に沿うように形成された第１係合用板が取り付けられて、前記第２スチームガイドの周方向端部に、前記第２スチームガイドが係合しているときに前記第２スチームガイドに向かって延びて前記内周面に沿うように形成されて、前記第１係合用板に互いに係合可能な第２係合用板が取り付けられて、前記第１係合用板および第２係合用板が互いに係合しているときに、対向する面同士が互いに接するように構成されていること、を特徴とする。
【００１０】
また、本発明に係る蒸気タービンは、外周表面に複数の動翼が固定されたタービンロータと、前記外周表面の半径方向外側に配置されて、作動流体である作動蒸気を軸方向に流通させる蒸気流路を形成するノズルと、前記ノズルを固定するとともに前記タービンロータを回転可能に収容する内部ケーシングと、前記内部ケーシングを収容する外部ケーシングと、内部ケーシングの、前記蒸気通路の下流側に配置されるとともに、内周面が前記回転中心軸との距離が軸方向下流側に向かうに従って徐々に大きくなるように形成され、前記タービンロータを半径方向外側から覆う半円環状の第１スチームガイドと、前記第１スチームガイドに対向するように配置可能で、前記第１スチームガイドと共に１つの円環を形成する半円環状で、内周面が前記回転中心軸との距離が軸方向下流側に向かうに従って除々に大きくなるように形成された第２スチームガイドと、を有し、前記第１スチームガイドの周方向端部に、前記第２スチームガイドが係合しているときに前記第２スチームガイドに向かって延びて前記内周面に沿うように形成された少なくとも１枚の板状の凸状フィンが取り付けられて、前記第２スチームガイドの周方向端部に、前記第２スチームガイドが係合しているときに第２スチームガイドに向かって延びて前記内周面に沿うように形成されて、前記凸状フィンを半径方向両側から挟むように形成された少なくとも２枚の板状の凹状フィンが取り付けられていること、を特徴とする。
【発明の効果】
【００１１】
本発明によれば、蒸気タービンの排気損失を抑制することが可能になる。
【図面の簡単な説明】
【００１２】
【図１】本発明に係る第１の実施形態の蒸気タービンの一部で上半スチームガイドおよび下半スチームガイド等を模式的に示す概略正面図である。
【図２】図１の蒸気タービンを示す一部断面の概略正面図である。
【図３】図１の上半スチームガイドおよび下半スチームガイドの一部で、組み合わされる前の状態を示す概略部分斜視図である。
【図４】図３の上半スチームガイドおよび下半スチームガイドが互いに組み合わされた状態を示す概略部分斜視図である。
【図５】図１のV−V矢視側断面である。
【図６】本発明に係る第２の実施形態の蒸気タービンの上半スチームガイドおよび下半スチームガイドの一部で、分割された状態の概略部分斜視図である。
【図７】図６の上半スチームガイドおよび下半スチームガイドが互いに組み合わされた状態を示す概略部分斜視図である。
【図８】本発明に係る第３の実施形態の蒸気タービンの上半スチームガイドおよび下半スチームガイドの一部で、分割された状態の概略部分斜視図である。
【図９】図８の上半スチームガイドおよび下半スチームガイドが互いに組み合わされた状態を示す概略部分斜視図である。
【図１０】本発明に係る第４の実施形態の蒸気タービンの上半スチームガイドおよび下半スチームガイドの一部で、分割された状態の概略部分斜視図である。
【図１１】図１０の上半スチームガイドおよび下半スチームガイドが互いに組み合わさった状態を示す概略部分斜視図である。
【図１２】図１１のXII部の拡大部分側面図である。
【図１３】図５の実施形態（第１の実施形態）の変形例を示す側断面図である。
【発明を実施するための形態】
【００１３】
以下、本発明の実施形態について、図面を参照して説明する。
【００１４】
［第１の実施形態］
本発明に係る第１の実施形態について、図１〜図５を用いて説明する。図１は、本実施形態の蒸気タービンの一部で上半スチームガイド４０および下半スチームガイド５０等を模式的に示す概略正面図である。図２は、図１の蒸気タービンを示す一部断面の概略正面図である。図３は、図１の上半スチームガイド４０および下半スチームガイド５０の一部で、組み合わされる前の状態を示す概略部分斜視図である。図４は、図３の上半スチームガイド４０および下半スチームガイド５０が互いに組み合わされた状態を示す概略部分斜視図である。図５は、図１のV−V矢視側断面図である。
【００１５】
先ず、本実施形態の蒸気タービンの構成の概略を説明する。
【００１６】
この蒸気タービンは軸流多段タービンで、円柱状のロータ本体の外周に複数の動翼１２が取り付けられて構成される蒸気タービンロータ１０と、ケーシングと、を有する。このケーシングは、外部ケーシング２３および内部ケーシング２１を有する二重構造である。
【００１７】
内部ケーシング２１は、上半内部ケーシング２１ａおよび下半内部ケーシング２１ｂに分割可能に構成されている。同様に、外部ケーシング２３は、上半外部ケーシング２３ａおよび下半外部ケーシング２３ｂに分割可能に構成されている。
【００１８】
内部ケーシング２１内には、蒸気タービンロータ１０が回転可能に収容されて、軸方向両側（図２の左右方向）に蒸気タービンロータ１０の両端それぞれが突出している。
【００１９】
外部ケーシング２３は、内部ケーシング２１を収容すると共に、蒸気タービンロータ１０の内部ケーシング２１から突出している部分を支持するための軸受２５が取り付けられている。この軸受２５により、蒸気タービンロータ１０が回転可能に支持されている。
【００２０】
内部ケーシング２１の半径方向内側には、作動流体である作動蒸気が軸方向に流通させる環状の流路を備えるノズル１１が、蒸気タービンロータ１０の半径方向外側に固定されて配置される。
【００２１】
また、内部ケーシング２１の内側で且つ蒸気タービンロータ１０が突出する出口近傍には、最終段翼１３が設けられている。この最終段翼１３よりも作動蒸気の下流側で内部ケーシング２１の外側には、スチームガイドおよび軸受コーン２６等が配置されて、これらで作動蒸気をケーシングの外に排気するためのディフューザ（拡大流路）１４が形成されている。このディフューザ１４は、流路の入口から出口に向けて断面積を徐々に拡大することで、流速を小さくして圧力を増加させる機能を備えている。
【００２２】
これらのスチームガイドおよび軸受コーン２６は、外部ケーシング２３の内側に軸方向に互いに軸方向間隙をあけて配列される（図１）。このとき、スチームガイドは作動蒸気の上流側で、軸受コーン２６は下流側に配列されている。また、当該軸方向間隙がディフューザ１４となって作動蒸気が流通する。
【００２３】
作動蒸気は、図２の矢印Ｘ１に示すように、ノズル１１に流入され、矢印Ｘ２に示すように蒸気タービンロータ１０の両側に軸方向に流れた後にディフューザ１４を流通し、外部ケーシング２３の外側に排気される。
【００２４】
スチームガイドは、上半スチームガイド４０および下半スチームガイド５０を有する。これらが組み立てられて一体のスチームガイドになったときに環状の部材になるように構成されている。このときのスチームガイドは、蒸気タービンロータ１０の内部ケーシング２１から突出している部分を半径方向外側から覆うように配置されている。また、このスチームガイドは、作動蒸気の上流側から下流側に向かって（図１の左方から右方に向かって）除々の内径が大きくなるように形成されている。上半スチームガイド４０および下半スチームガイド５０それぞれの形状等は、後で説明する。
【００２５】
軸受コーン２６は、軸受２５を半径方向外側から覆う部分円錐形の部材で、作動蒸気の上流側から下流側に向かって除々の内径が大きくなるように形成されている。軸受コーン２６の上流側端部が、スチームガイドの下流側端部に軸方向位置が重なるように配置されている。
【００２６】
スチームガイドおよび軸受コーン２６が、上述したように内径が除々に大きくなるように形成されることで、ディフューザ１４としての機能を有している。
【００２７】
スチームガイドは、蒸気タービンロータ１０の回転中心軸を含む水平面（仮想平面）７０を境界にして上下に２つに、すなわち、上半スチームガイド４０および下半スチームガイド５０に分割可能である（図５）。ただし、上半スチームガイド４０および下半スチームガイド５０は、厳密に当該水平面７０で上下に分割されるものではない。上半スチームガイド４０の分割部の一部は、当該水平面７０よりも下方にあり、下半スチームガイド５０の分割部の一部は当該水平面７０の上方にある。
【００２８】
以下に、これらの上半スチームガイド４０および下半スチームガイド５０それぞれの分割部の構成について説明する。
【００２９】
上半スチームガイド４０の分割部の周方向端面、すなわち下半スチームガイド５０との接続部の周方向端面は、水平面７０に対して所定の角度の上側傾斜面４１が形成されている。この例では、上側傾斜面４１は、半径方向外側に向かって下がるように形成されている（図５）。
【００３０】
下半スチームガイド５０の分割部の周方向端面、すなわち上半スチームガイド４０との接続部の周方向端面は、水平面７０に対して所定の角度の下側傾斜面５１が形成されている。この下側傾斜面５１は、半径方向外側に向かって下がるように形成されている。
【００３１】
すなわち、上側傾斜面４１および下側傾斜面５１は、互いに対向しているときに同じ傾斜方向になるように形成されている。このため、上半スチームガイド４０および下半スチームガイド５０が互いに組み合わされるときは、上側傾斜面４１および下側傾斜面５１が互いに接触可能に構成されている。
【００３２】
上側傾斜面４１および下側傾斜面５１は、水平に対して４５度〜６０度程度が好ましい。
【００３３】
上半スチームガイド４０および下半スチームガイド５０が互いに組み合わされるときは、上半スチームガイド４０が半径方向外側に広がる方向に弾性変形する。このとき、下半スチームガイド５０は、半径方向内側に弾性変形する。
【００３４】
ここで、下半スチームガイド５０に上半スチームガイド４０が嵌め込まれる状態について説明する。
【００３５】
先ず、下半外部ケーシング２３ｂおよび下半内部ケーシング２１ｂを配置した後に、下半スチームガイド５０を取り付ける。詳細な図示は省略するが、下半スチームガイド５０は、フランジ１６に軸方向にボルト等で固定される。この後に、蒸気タービンロータ１０を設置して上半内部ケーシング２１ａを設置する。
【００３６】
次に、下半スチームガイド５０の上方から、上半スチームガイド４０を嵌め込む。このとき、上側傾斜面４１および下側傾斜面５１が互いに接するように上半スチームガイド４０を下半スチームガイド５０に取り付ける。このとき、上半スチームガイド４０は半径方向外側に広がるように弾性変形して、下半スチームガイド５０は半径方向内側に狭まるように弾性変形する。これにより、上側傾斜面４１および下側傾斜面５１が互いに密着する。
【００３７】
以上の説明からわかるように、本実施形態によれば、上半スチームガイド４０および下半スチームガイド５０の分割部（接続部）に隙間が形成されることが抑制され、スチームガイド等で形成されるディフューザ１４から作動蒸気が漏れることが抑制される。よって、蒸気タービンの排気損失を抑制することが可能になる。
【００３８】
［第２の実施形態］
本発明に係る第２の実施形態の蒸気タービンについて、図６および図７を用いて説明する。図６は、本実施形態の蒸気タービンの上半スチームガイド４０および下半スチームガイド５０の一部で、分割された状態の概略部分斜視図である。図７は、図６の上半スチームガイド４０および下半スチームガイド５０が互いに組み合わされた状態を示す概略部分斜視図である。なお、本実施形態は、第１の実施形態の変形例であって、第１の実施形態（図１〜図５）と同一部分または類似部分には、同一符号を付して、重複説明を省略する。
【００３９】
本実施形態の上半スチームガイド４０および下半スチームガイド５０それぞれの接続部には、第１係合用板４３および第２係合用板５３が取り付けられている。
【００４０】
上半および下半スチームガイド４０、５０が互いに組み合わされているときに、上半スチームガイド４０の接続部の周方向端面（上側端面）４２は、下方に面してほぼ水平になるように形成されている。また、下半スチームガイド５０の接続部の周方向端面（下側端面）５２は、上方に面してほぼ水平になるように形成されている。
【００４１】
第１係合用板４３は、上半スチームガイド４０の接続部の上側端面４２に所定の角度をなして延びるように取り付けられている。すなわち、この第１係合用板４３は、上半スチームガイド４０が下半スチームガイド５０に取り付けられているときに、上側端面４２から下半スチームガイド５０に向かって下向きに延びるように形成されている。この第１係合用板４３は、上半スチームガイド４０よりも、弾力性および柔軟性があるばね材等により形成されている。
【００４２】
第２係合用板５３は、下半スチームガイド５０の接続部の下側端面５２に所定の角度をなして延びるように取り付けられている。すなわち、この第１係合用板４３は、上半スチームガイド４０が下半スチームガイド５０に取り付けられているときに、下側端面５２から下半スチームガイド５０に向かって上向きに延びるように形成されている。この第２係合用板５３は、第１係合用板４３と同様に、弾力性および柔軟性があるばね材等により形成されている。
【００４３】
上半スチームガイド４０および下半スチームガイド５０が互いに組み合わされているときに、第１係合用板４３および第２係合用板５３は、対向する面同士が互いに密着するように構成されている。すなわち、第１係合用板４３の半径方向内側面と第２係合用板の半径方向外側面とが互いに密着するように構成される。
【００４４】
このとき、第１係合用板４３の先端が半径方向外側に、第２係合用板５３の先端が判径方向内側に反るように弾性変形する。
【００４５】
以上の説明からわかるように、本実施形態によれば、第１の実施形態と同様に、上半スチームガイド４０および下半スチームガイド５０の間に隙間が形成されることが抑制できる。また、上半および下半スチームガイド４０、５０の本体に比べて、第１および第２係合用板４３、５３が弾性変形しやすい部材を用いているため、密着性を向上させることが可能になる。
【００４６】
また、第１係合用板４３の先端が半径方向外側に、第２係合用板５３の先端が判径方向内側に反るように弾性変形するため、上半および下半スチームガイド４０、５０を互いに組み立てるときに、第１および第２係合用板４３、５３の先端同士が衝突して組立作業性を阻害することが抑制される。
【００４７】
［第３の実施形態］
本発明に係る第３の実施形態の蒸気タービンについて、図８および図９を用いて説明する。図８は、本実施形態の蒸気タービンの上半スチームガイド４０および下半スチームガイド５０の一部で、分割された状態の概略部分斜視図である。図９は、図８の上半スチームガイド４０および下半スチームガイド５０が互いに組み合わされた状態を示す概略部分斜視図である。なお、本実施形態は、第２の実施形態の変形例であって、第２の実施形態（図６、図７）と同一部分または類似部分には、同一符号を付して、重複説明を省略する。
【００４８】
本実施形態の上半スチームガイド４０の上側端面４２および下半スチームガイド５０の下側端面５２それぞれには、第２の実施形態と同様に、第１および第２係合用板４３、５３が取り付けられている。上半スチームガイド４０および下半スチームガイド５０が互いに組み合わされるときに、これらの第１および第２係合用板４３、５３は、共に半径方向外側に弾性変形しながら互いに密着する。
【００４９】
第２の実施形態では、上半および下半スチームガイド４０、５０の分割面の水平面の寸法差が比較的大きい場合や、上半および下半スチームガイド４０、５０により形成されるディフューザ１４の流路面の曲率半径寸法差が大きい場合には、上半および下半スチームガイド４０、５０を互いに組み合わせたときに、第１係合用板４３および第２係合用板５３が接触しにくい部位が生じる可能性がある。これに対して、上半スチームガイド４０および下半スチームガイド５０の上述した部分の寸法差が比較的大きな場合でも、互いに密着させることが可能になる。
【００５０】
これにより、上半スチームガイド４０および下半スチームガイド５０の間に隙間が形成されることが抑制できる。
【００５１】
［第４の実施形態］
本発明に係る第４の実施形態の蒸気タービンについて、図１０〜図１２を用いて説明する。図１０は、本実施形態の蒸気タービンの上半スチームガイド４０および下半スチームガイド５０の一部で、分割された状態の概略部分斜視図である。図１１は、図１０の上半スチームガイド４０および下半スチームガイド５０が互いに組み合わさった状態を示す概略部分斜視図である。図１２は、図１１のXII部の拡大部分側面図である。なお、本実施形態は、第１の実施形態（図１〜図５）の変形例であって、第１の実施形態と同一部分または類似部分には、同一符号を付して、重複説明を省略する。
【００５２】
本実施形態の上半スチームガイド４０の上側端面４２には凸状隙間調整フィン４４が取り付けられている。また、下半スチームガイド５０の下側端面５２には凹状隙間調整フィン５４が取り付けられている。
【００５３】
凸状隙間調整フィン４４は、上半スチームガイド４０の接続部の上側端面４２の半径方向中央からほぼ垂直に延びるように取り付けられている。すなわち、この凸状隙間調整フィン４４は、上半スチームガイド４０が下半スチームガイド５０に取り付けられているときに、上側端面４２の半径方向中央部から下半スチームガイド５０に向かって下向きに延びるように形成されている。この凸状隙間調整フィン４４の先端は、下方に向かって尖った状態、すなわち鋭角状に形成されている。
【００５４】
凹状隙間調整フィン５４は２枚のフィンを有し、各フィンが下半スチームガイド５０の接続部の上側端面４２の半径方向両端それぞれからほぼ垂直に延びるように取り付けられている。すなわち、この凹状隙間調整フィン５４は、上半スチームガイド４０が下半スチームガイド５０に取り付けられているときに、下側端面５２の半径方向両側それぞれから下半スチームガイド５０に向かって上向きに延びるように形成されている。この凹状隙間調整フィン５４の各先端は、上方に向かって尖った状態、すなわち鋭角状に形成されている。
【００５５】
これらの凸状および凹状隙間調整フィン４４、５４が形成された上半および下半スチームガイド４０、５０は、互いに組み合わされるとき、凸状隙間調整フィン４４の先端が、下側端面５２に所定の周方向間隔が保持される（図１２）。同様に、凹状隙間調整フィン５４の先端が、上側端面４２に所定の周方向間隔が保持される。すなわち、当該フィン４４、５４が、ラビリンスフィンと同様に、蒸気の漏れを抑制することが可能になる。
【００５６】
また、この場合、第１〜第３の実施形態で説明したように互いに密着させる必要がないため、組み合わせ作業が容易である。
【００５７】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００５８】
例えば、第１の実施形態において、上半スチームガイド４０および下半スチームガイド５０が組み合わされるとき、下半スチームガイドの接続部が半径方向外側で、上半スチームガイドの接続部が半径方向内側になるように構成してもよい。すなわち、図１３に示すように、上側傾斜面４１および下側傾斜面５１が、それぞれ半径方向外側に向かって上方に傾斜するように構成してもよい。
【００５９】
また、第２の実施形態において、第１係合用板４３および第２係合用板５３を共に半径方向外側に変形させているが、逆でもよい。
【符号の説明】
【００６０】
１０…蒸気タービンロータ、１１…ノズル、１２…翼、１３…最終段翼、１４…ディフューザ、１６…フランジ、２１…内部ケーシング、２１ａ…上半内部ケーシング、２１ｂ…下半内部ケーシング、２３…外部ケーシング、２３ａ…上半外部ケーシング、２３ｂ…下半外部ケーシング、２５…軸受、２６…軸受コーン、４０…上半スチームガイド、４１…上側傾斜面、４２…上側端面、４３…第１係合用板、４４…凸状隙間調整フィン、５０…下半スチームガイド、５１…下側傾斜面、５２…下側端面、５３…第２係合用板、５４…凹状隙間調整フィン、７０…水平面（仮想平面）
【図１】
2011226428.tif 000003
【図２】
2011226428.tif 000004
【図３】
2011226428.tif 000005
【図４】
2011226428.tif 000006
【図５】
2011226428.tif 000007
【図６】
2011226428.tif 000008
【図７】
2011226428.tif 000009
【図８】
2011226428.tif 000010
【図９】
2011226428.tif 000011
【図１０】
2011226428.tif 000012
【図１１】
2011226428.tif 000013
【図１２】
2011226428.tif 000014
【図１３】
2011226428.tif 000015